(57)【要約】      （修正有）【課題】ユーザーが閲覧しやすい態様で複数の原稿から構成される原稿群を電子化する。【解決手段】情報処理装置１は、原稿群を構成する複数の原稿を撮像して、当該複数の原稿のそれぞれについて当該原稿を示す画像データを得るカメラ部６０と、各画像データに対してＯＣＲ処理を行い、複数の原稿のそれぞれについて当該原稿に含まれる文字を示すテキストデータを得るテキストデータ取得部１０５と、各テキストデータを解析して、各テキストデータにおける区切り位置を特定する区切り位置特定部１０６と、各テキストデータの末尾に、次のページのテキストデータにおける区切り位置までのテキストデータを付加した付加テキストデータを生成する付加テキストデータ生成部１０７と、を備える。【選択図】図３
2016177363.tif 000002
【特許請求の範囲】
【請求項１】
原稿群を構成する複数の原稿を撮像して、当該複数の原稿のそれぞれについて当該原稿を示す画像データを得る撮像部と、
前記各画像データに対してＯＣＲ処理を行い、前記複数の原稿のそれぞれについて当該原稿に含まれる文字を示すテキストデータを得るテキストデータ取得部と、
前記各テキストデータを解析して、前記各テキストデータにおける区切り位置を特定する区切り位置特定部と、
前記各テキストデータの末尾に、次のページのテキストデータにおける区切り位置までのテキストデータを付加した付加テキストデータを生成する付加テキストデータ生成部と、を備える情報処理装置。
【請求項２】
前記区切り位置特定部は、前記テキストデータに含まれる句点を識別して、当該識別した句点のうち最前に位置する句点の位置を、前記テキストデータにおける区切り位置とする、請求項１に記載の情報処理装置。
【請求項３】
表示部と、
前記表示部による表示動作を制御する表示制御部と、
前記原稿群に対するデータ閲覧形式に関する指示を受け付ける受付部と、を更に備え、
前記表示制御部は、前記表示部に、前記受付部が受け付けた指示に応じて前記テキストデータまたは前記付加テキストデータを選択的に表示させる、請求項１または請求項２に記載の情報処理装置。
【請求項４】
前記表示制御部は、前記表示部に前記付加テキストデータを表示させる場合に、前記付加テキストデータにおけるテキストデータの付加部分の表示を、前記付加テキストデータにおける前記テキストデータ部分の表示と表示形態を異ならせる、請求項３に記載の情報処理装置。
【請求項５】
同一原稿群に対する前記テキストデータと前記付加テキストデータとを関連付けて記憶する記憶部を、更に備える、請求項１乃至請求項４の何れか１項に記載の情報処理装置。
【請求項６】
前記付加テキストデータ生成部は、更に、前記付加テキストデータの冒頭から当該付加テキストデータの区切り位置までのテキストデータを削除する、請求項１乃至請求項５の何れか１項に記載の情報処理装置。
【請求項７】
前記原稿群は、複数の原稿が綴じられてなる冊子であり、
前記撮像部が撮像する原稿が次のページの原稿に変わったか否かを、前記冊子に対するめくり動作を検出することで判定する原稿判定部を更に備え、
前記テキストデータ取得部は、前記原稿判定部により前記撮像部が撮像する原稿が次のページの原稿に変わったものと判定された場合に前記ＯＣＲ処理を実行する、請求項１乃至請求項７の何れか１項に記載の情報処理装置。
【発明の詳細な説明】
【技術分野】
【０００１】
本発明は、情報処理装置に関し、特に、複数の原稿から構成される原稿群からテキストデータを抽出する技術に関する。
【背景技術】
【０００２】
近年、ＰＣ（Personal Computer）やスマートフォン等の情報処理装置の普及に伴い、原稿等の紙媒体に記載された内容の電子化（データ化）が広く行われている。
【０００３】
特許文献１には、紙媒体をカメラ（撮像部）で撮像して画像データ化することで、紙媒体に記載された内容の電子化を行う技術が開示されている。また、特許文献１では、得られた画像データに対してＯＣＲ（Optical Character Recognition）処理を行うことで、紙媒体に含まれる文字を示すテキストデータを抽出している。これにより、紙媒体に記載された内容を検索したり分析することが可能となる。
【先行技術文献】
【特許文献】
【０００４】
【特許文献１】特開２００３−６０８９４号公報
【発明の概要】
【発明が解決しようとする課題】
【０００５】
上記の特許文献１が開示する技術を用いて複数の原稿から構成される原稿群を撮像した場合、当該複数の原稿のそれぞれについて原稿に含まれる文字を示すテキストデータが得られる。ユーザーは、ページを順次切り替えて当該テキストデータを閲覧する。
【０００６】
しかしながら、当該テキストデータでは、１つのまとまりある文章がページ間を跨いでいる場合がある。この場合、１つのまとまりある文章を読む途中でページを切り替えるという作業が必要となり煩わしい。
【０００７】
本発明は、上記の事情に鑑みなされたものであり、ユーザーが閲覧しやすい態様で複数の原稿から構成される原稿群を電子化することを可能にすることを目的とする。
【課題を解決するための手段】
【０００８】
本発明の一局面にかかる情報処理装置は、原稿群を構成する複数の原稿を撮像して、当該複数の原稿のそれぞれについて当該原稿を示す画像データを得る撮像部と、前記各画像データに対してＯＣＲ処理を行い、前記複数の原稿のそれぞれについて当該原稿に含まれる文字を示すテキストデータを得るテキストデータ取得部と、前記各テキストデータを解析して、前記各テキストデータにおける区切り位置を特定する区切り位置特定部と、前記各テキストデータの末尾に、次のページのテキストデータにおける区切り位置までのテキストデータを付加した付加テキストデータを生成する付加テキストデータ生成部と、を備える情報処理装置である。
【発明の効果】
【０００９】
本発明によれば、ユーザーが閲覧しやすい態様で複数の原稿から構成される原稿群を電子化することができる。
【図面の簡単な説明】
【００１０】
【図１】（Ａ）および（Ｂ）は、本発明の一実施形態にかかる情報処理装置を示す図であり、（Ａ）は、情報処理装置の表面側を示し、（Ｂ）は、情報処理装置の裏面側を示す。
【図２】本発明の一実施形態にかかる情報処理装置の使用態様を示す図である。
【図３】本発明の一実施形態にかかる情報処理装置の内部構成を示すブロック図である。
【図４】（Ａ）は、本発明の一実施形態にかかる情報処理装置のカメラ部の撮像対象となる原稿を示す図であり、（Ｂ）は、（Ａ）に示す原稿をカメラ部が撮像することで、テキストデータ取得部が取得するテキストデータを示す図であり
【図５】（Ａ）は、図４（Ｂ）に示すテキストデータにおいて、本発明の一実施形態にかかる情報処理装置の付加テキストデータ生成部が付加するテキストデータを示す図であり、（Ｂ）は、付加テキストデータ生成部が生成する付加テキストデータを示す図である。
【図６】（Ａ）〜（Ｄ）は、本発明の一実施形態にかかる情報処理装置の記憶部が記憶するデータのデータ構造を示す図である。
【図７】本発明の一実施形態にかかる情報処理装置の電子化処理における動作の流れを示すフローチャートである。
【図８】本発明の一実施形態にかかる情報処理装置の書籍データの閲覧処理における動作の流れを示すフローチャートである。
【図９】本発明の一実施形態にかかる情報処理装置の表示部に表示される操作画面の一例を示す図である。
【図１０】（Ａ）および（Ｂ）は、本発明の一実施形態にかかる情報処理装置の表示部に表示される閲覧画面の一例を示す図である。
【発明を実施するための形態】
【００１１】
以下、本発明の一実施形態にかかる情報処理装置について図面を参照して説明する。
【００１２】
図１（Ａ）および図１（Ｂ）は、本発明の一実施形態にかかる情報処理装置１を示す図であり、図１（Ａ）は、情報処理装置１の表面側を示し、図１（Ｂ）は、情報処理装置１の裏面側を示す。
【００１３】
情報処理装置１は、ＰＣ、タブレット端末、デジタルカメラ、スマートフォン等の撮像手段を有する情報処理装置である。図１（Ａ）および図１（Ｂ）に示す例では、情報処理装置１がスマートフォンである場合を示している。
【００１４】
情報処理装置１は、外郭を構成する筐体１０、筐体１０内に収容された表示部２０、タッチパネル３０、物理キー４０、スピーカー部５０、マイク部５１、カメラ部６０、および発光部７０等を備えている。
【００１５】
表示部２０は、液晶ディスプレイ（ＬＣＤ：Liquid Crystal Display）や有機ＥＬ（ＯＬＥＤ：Organic Light-Emitting Diode）ディスプレイであって、筐体１０内の表面側に配設される。表示部２０は、後述する表示制御部１０２（図３参照）による制御の下、ユーザー操作を受け付けるための操作画面や、カメラ部６０が撮像した画像データ等を表示する。
【００１６】
タッチパネル３０は、例えば、マルチタッチを検出可能な静電容量方式のタッチパネルであって、表示部２０の表示画面部分の前面に配設される。タッチパネル３０は、表示部２０の表示画面上におけるユーザーによる接触を接触位置とともに検知する。タッチパネル３０は、ユーザーによる接触を検知すると、その接触位置を示す検知信号を後述する受付部１０３（図３参照）等に出力する。
【００１７】
物理キー４０は、筐体１０内の表面側に配設され、上記のタッチパネル３０とともに、ユーザーによる操作を受け付ける操作部として機能する。図１（Ａ）および図１（Ｂ）に示す例では、物理キー４０がホーム画面に戻るためのホームボタンである場合を示しているが、他に操作画面を構成するＧＵＩのフォーカスを移動させる矢印キー、操作画面を構成するＧＵＩに対して確定操作を行う決定キー、文字入力を行うための文字入力キー、数値入力を行うための数値入力キー等を備えてもよい。
【００１８】
スピーカー部５０は、筐体１０内の表面側に配設され、後述する報知制御部１１０（図３参照）による制御の下、着信音や警告音等の音声を出力する。
【００１９】
マイク部５１は、筐体１０内の表面側に配設され、情報処理装置１の外部で発生した音声を集音する。
【００２０】
カメラ部６０（撮像部）は、被写体からの光を結像する撮像レンズ（不図示）、当該撮像レンズよって結像された被写体像を光電変換する撮像素子（不図示）、および撮像素子を駆動する回路（不図示）等を備える。カメラ部６０は、筐体１０内の裏面側に配設され、被写体の画像を撮像する。撮像中において表示部２０には、カメラ部６０が向けられた被写体を示す画像が表示される。このためユーザーは、被写体の様子を確認しながら撮像を行うことができる。
【００２１】
発光部７０は、ＬＥＤ（Light-Emitting Diode）等の発光素子を備える。発光部７０は、カメラ部６０の上部に配設され、カメラ部６０が被写体を撮像する際にフラッシュ光を被写体に向けて出射する。
【００２２】
図２は、情報処理装置１の使用態様を示す図である。情報処理装置１は、動作モードとして、通話を行うための通話モードや撮像を行うための撮像モードに加えて、紙媒体に記載された内容の電子化を行う電子化モードを有する。当該電子化モードにおいて、情報処理装置１は、複数の原稿から構成される原稿群等の紙媒体をカメラ部６０で撮像することで、紙媒体に記載された内容を電子化する。図２に示す例では、複数の原稿が綴じられてなる冊子Ｈが電子化対象の原稿群とされている。詳細は後述するが、ユーザーは、まず、電子化したい最初のページである原稿Ｐ１にカメラ部６０を向け、原稿Ｐ１の撮像を行う。原稿Ｐ１の撮像後、ユーザーは、原稿Ｐ１の次のページである原稿Ｐ２にカメラ部６０を向け、原稿Ｐ２の撮像を行う。原稿Ｐ１および原稿Ｐ２の撮像後、ユーザーは、冊子Ｈをめくり原稿Ｐ２以降のページの原稿の撮像も行う。こうすることで、冊子Ｈを構成する各原稿が撮像され、冊子Ｈの電子化が完了する。
【００２３】
続いて、情報処理装置１の内部構成を説明する。図３は、情報処理装置１の内部構成を示すブロック図である。なお、既に説明した構成については、その説明を簡略または省略する。
【００２４】
通信部８０は、無線ＬＡＮボード等の通信モジュールから構成されるネットワークインターフェイスである。
【００２５】
記憶部９０は、ＨＤＤ（Hard Disk Drive）等の大容量の記憶装置である。
【００２６】
制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭまたは記憶部９０等に記憶された制御プログラムが上記のＣＰＵに実行されることにより、制御部１０１、表示制御部１０２、受付部１０３、撮像制御部１０４、テキストデータ取得部１０５、区切り位置特定部１０６、付加テキストデータ生成部１０７、原稿判定部１０８、記憶制御部１０９、および報知制御部１１０として機能する。なお、制御ユニット１００の上記の各構成は、前述の制御プログラムに基づく動作によらず、それぞれハード回路により構成されてもよい。
【００２７】
制御部１０１は、情報処理装置１の全体的な動作制御を司る。制御部１０１は、表示部２０、タッチパネル３０、物理キー４０、スピーカー部５０、マイク部５１、カメラ部６０、発光部７０、通信部８０、および記憶部９０等と接続されており、接続されている上記各機構の動作制御や、各機構との間での信号又はデータの送受信を行う。
【００２８】
表示制御部１０２は、表示部２０による表示動作を制御する機能を有する。
【００２９】
受付部１０３は、タッチパネル３０や物理キー４０等を用いて入力されたユーザー操作に応じた指示を受け付ける機能を有する。
【００３０】
撮像制御部１０４は、カメラ部６０による撮像動作を制御する機能を有する。撮像制御部１０４は、カメラ部６０の撮像レンズ（不図示）を移動させることで焦点距離を変化させる光学ズームにより、カメラ部６０のズーム倍率を調整する。
【００３１】
テキストデータ取得部１０５は、カメラ部６０から出力されたアナログ信号をデジタル信号に変換しノイズ除去等の処理に基づく補正を行うことで、画像データを得る機能を有する。情報処理装置１が図２に示す使用態様で用いられた場合、テキストデータ取得部１０５は、冊子を構成する複数の原稿のそれぞれについて当該原稿を示す画像データを得る。
【００３２】
テキストデータ取得部１０５は、更に、取得した画像データに対してＯＣＲ処理を行い、冊子を構成する複数の原稿のそれぞれについて当該原稿に含まれる文字を示すテキストデータを取得する機能を有する。
【００３３】
テキストデータ取得部１０５は、まず、受付部１０３が冊子の電子化開始指示を受け付けた時点でカメラ部６０が撮像している原稿（図２における原稿Ｐ１）を示す画像データを取得する。そして、テキストデータ取得部１０５は、当該取得した画像データに対してＯＣＲ処理を行い、テキストデータを取得する。初回のＯＣＲ処理以降については、テキストデータ取得部１０５は、カメラ部６０が撮像する原稿が次のページの原稿に変わる度に、ＯＣＲ処理対象の画像データを取得する。なお、カメラ部６０が撮像する原稿が次のページの原稿に変わったか否かは、後述する原稿判定部１０８により判定される。
【００３４】
受付部１０３が冊子の電子化終了指示を受け付けた場合、受付部１０３が冊子の電子化開始指示を受け付けてから冊子の電子化終了指示を受け付けるまでの間にテキストデータ取得部１０５が得たテキストデータが、後述する記憶制御部１０９による制御の下、記憶部９０に記憶される。
【００３５】
区切り位置特定部１０６は、テキストデータ取得部１０５が取得した各テキストデータを解析して、当該各テキストデータにおける区切り位置を特定する機能を有する。ここで、区切り位置とは、１つのまとまりある文章が終了する位置を意味する。本実施形態にかかる情報処理装置１では、区切り位置特定部１０６が、テキストデータに含まれる句点（。）を区切り文字として識別して、当該識別した句点のうち最前に位置する句点の位置を区切り位置とする。
【００３６】
付加テキストデータ生成部１０７は、テキストデータ取得部１０５が取得した各テキストデータの末尾に、次のページのテキストデータにおける区切り位置までのテキストデータを付加した付加テキストデータを生成する機能を有する。また、付加テキストデータ生成部１０７は、生成した付加テキストデータの冒頭から当該付加テキストデータの区切り位置までのテキストデータを削除する機能を有する。
【００３７】
上記の区切り位置特定部１０６および付加テキストデータ生成部１０７が有する機能の詳細を図４（Ａ）、図４（Ｂ）、図５（Ａ）、および図５（Ｂ）を用いて説明する。
【００３８】
図４（Ａ）は、カメラ部６０の撮像対象となる原稿を示す図である。本図に示す例では、冊子Ｈを構成する原稿Ｐ１〜原稿Ｐ４の四ページの原稿がカメラ部６０の撮像対象とされている。
【００３９】
図４（Ｂ）は、図４（Ａ）に示す原稿をカメラ部６０が撮像することで、テキストデータ取得部１０５が取得するテキストデータを示す図である。本図に示す例では、原稿Ｐ１に含まれる文字を示すテキストデータＴ１、原稿Ｐ２に含まれる文字を示すテキストデータＴ２、原稿Ｐ３に含まれる文字を示すテキストデータＴ３、および原稿Ｐ４に含まれる文字を示すテキストデータＴ４が取得されている。
【００４０】
区切り位置特定部１０６は、各テキストデータに含まれる区切り文字（句点）を識別する。図４（Ｂ）に示す例では、テキストデータＴ１から句点ｔ１、ｔ２を識別し、テキストデータＴ２から句点ｔ３、ｔ４、ｔ５を識別し、テキストデータＴ３から句点ｔ６、ｔ７、ｔ８を識別し、テキストデータＴ４から句点ｔ９、ｔ１０、ｔ１１、ｔ１２を識別する。
【００４１】
区切り位置特定部１０６は、識別した句点のうち最前に位置する句点の位置を区切り位置とする。図４（Ｂ）に示す例では、句点ｔ１の位置をテキストデータＴ１における区切り位置とし、句点ｔ３の位置をテキストデータＴ２における区切り位置とし、句点ｔ６の位置をテキストデータＴ３における区切り位置とし、句点ｔ９の位置をテキストデータＴ４における区切り位置とする。
【００４２】
図５（Ａ）は、図４（Ｂ）に示すテキストデータにおいて、付加テキストデータ生成部１０７が付加するテキストデータを示す図である。付加テキストデータ生成部１０７は、各テキストデータの末尾に、次のページのテキストデータにおける区切り位置までのテキストデータを付加する。図５（Ａ）に示す例では、付加テキストデータ生成部１０７は、テキストデータＴ１の末尾に、テキストデータＴ２における区切り位置ｔ３までのテキストデータＴ６を付加する。また、付加テキストデータ生成部１０７は、テキストデータＴ２の末尾に、テキストデータＴ３における区切り位置ｔ６までのテキストデータＴ７を付加する。また、付加テキストデータ生成部１０７は、テキストデータＴ３の末尾に、テキストデータＴ４における区切り位置ｔ９までのテキストデータＴ８を付加する。なお、テキストデータＴ４は、カメラ部６０の撮像対象となる原稿のうち最後のページの原稿に対するテキストデータであるため、テキストデータの付加は行われない。
【００４３】
図５（Ｂ）は、付加テキストデータ生成部１０７が生成する付加テキストデータを示す図である。付加テキストデータ生成部１０７は、前のページのテキストデータに付加した部分を削除する処理を行う。すなわち、付加テキストデータ生成部１０７は、生成した付加テキストデータの冒頭から当該付加テキストデータの区切り位置までのテキストデータを削除する。図５（Ｂ）に示す例では、付加テキストデータ生成部１０７は、テキストデータＴ２からテキストデータＴ６を削除して得られるテキストデータＴ２’とテキストデータＴ７とからなる付加テキストデータＴ１０を生成している。また、付加テキストデータ生成部１０７は、テキストデータＴ３からテキストデータＴ７を削除して得られるテキストデータＴ３’とテキストデータＴ８とからなる付加テキストデータＴ１１を生成している。また、付加テキストデータ生成部１０７は、テキストデータＴ４からテキストデータＴ８を削除して得られるテキストデータＴ４’からなる付加テキストデータＴ１２を生成している。なお、テキストデータＴ１は、カメラ部６０の撮像対象となる原稿のうち最初のページの原稿に対するテキストデータであるため、テキストデータの削除は行われない。
【００４４】
このように、情報処理装置１では、ＯＣＲ処理を行うことで得られたテキストデータを解析して、テキストデータにおける区切り位置を特定し、テキストデータの末尾に次のページのテキストデータにおける区切り位置までのテキストデータを付加する付加テキストデータを生成することで、１つのまとまりある文章がページ間を跨ぐ事態を回避することができる。
【００４５】
図３に戻って、原稿判定部１０８は、カメラ部６０が撮像する原稿が次のページの原稿に変わったか否かを判定する機能を有する。原稿判定部１０８は、カメラ部６０が撮像した動画像データを解析して、冊子に対するめくり動作を検出するめくり検出を行うことで、カメラ部６０が撮像する原稿が次のページの原稿に変わったか否かを判定する。
【００４６】
めくり検出では、原稿判定部１０８は、動画像データを解析して、ユーザーの手の位置を検出する。そして、原稿判定部１０８は、検出した手の動きが予め定められた移動パターンに合致するか否かを判定し、予め定められた移動パターンに合致する場合にめくり動作が行われたことを検出する。なお、めくり検出の手法は、上記で説明したものに限られない。例えば、原稿判定部１０８は、動画像データを解析して原稿の縁部分を検出しておき、当該原稿の縁部分の予め定められた距離以上の移動を検出した場合に、めくり動作が行われたことを検出してもよい。
【００４７】
右綴じ、左綴じ、上綴じの冊子、すなわち見開き部分を有しない冊子では、原稿判定部１０８が上記のめくり動作を検出することで、カメラ部６０が撮像する原稿が次のページの原稿に変わったか否かを判定することができる。しかしながら、中綴じの冊子、すなわち見開き部分を有する冊子では、原稿判定部１０８が上記のめくり動作を検出するだけでは、カメラ部６０が撮像する原稿が次のページの原稿に変わったか否かを判定することができない。そこで、原稿判定部１０８は、上記のめくり検出に加えて、カメラ部６０の視点の移動を検出する視点移動検出を行う。
【００４８】
視点移動検出では、原稿判定部１０８は、動画像データを解析して、特徴点、例えば中綴じの冊子におけるのど部分を検出する（特徴点検出）。そして、原稿判定部１０８は、当該特徴点の予め定められた距離以上の移動を検出した場合に、カメラ部６０の視点の移動が行われたことを検出する。
【００４９】
原稿判定部１０８は、上記のめくり検出、または、視点移動検出のどちらか一方が検出された場合に、カメラ部６０が撮像する原稿が次のページの原稿に変わったことを検出する。これにより、見開き部分を有する冊子においても、カメラ部６０が撮像する原稿が次のページの原稿に変わったか否かを判定することができる。
【００５０】
報知制御部１１０（報知部）は、スピーカー部５０による音声の出力動作を制御する機能を有する。報知制御部１１０は、例えば、テキストデータ取得部１０５によるＯＣＲ処理が成功した場合に、ＯＣＲ処理が成功した旨を報知するための予め定められた成功報知音をスピーカー部５０に出力させる。これにより、ユーザーは、現在カメラ部６０を向けている原稿に対するＯＣＲ処理が成功したので、カメラ部６０を次のページの原稿に向けるべきであることを知ることができる。なお、テキストデータ取得部１０５によるＯＣＲ処理が成功した場合に、表示制御部１０２が、ＯＣＲ処理が成功した旨を報知する報知画面を表示部２０に表示させてもよい。この場合、表示制御部１０２が報知部として機能することになる。
【００５１】
記憶制御部１０９は、記憶部９０によるデータの記憶動作を制御する機能を有する。記憶制御部１０９による制御により、記憶部９０には、カメラ部６０による冊子への撮像で得られるデータが記憶される。
【００５２】
図６（Ａ）〜図６（Ｄ）は、記憶部９０が記憶するデータのデータ構造を示す図である。記憶部９０には、同一原稿群に対するテキストデータと付加テキストデータとを関連付ける関連付け情報が記憶されている。当該関連付け情報は、同一の冊子に対するテキストデータと付加テキストデータとの組み合わせを示す。当該関連付け情報により、テキストデータと付加テキストデータとが、冊子毎に分けられた書籍データ内に格納された状態で記憶部９０に記憶される。図６（Ａ）に示す例では、冊子１〜冊子ＮのＮ冊の冊子に対する書籍データが記憶部９０に記憶されている。
【００５３】
図６（Ｂ）は、冊子１に対する書籍データのデータ構造を示している。冊子１に対する書籍データには、カメラ部６０による冊子１への撮像で得られた画像データに基づき、テキストデータ取得部１０５が生成したテキストデータ、および付加テキストデータ生成部１０７が生成した付加テキストデータが格納されている。テキストデータは、図６（Ｃ）に示すように１ページ目からＫページ目までの各テキストデータから構成されている。また、付加テキストデータは、図６（Ｄ）に示すように１ページ目からＫページ目までの各付加テキストデータから構成されている。
【００５４】
このように、情報処理装置１では、冊子等の紙媒体に記載された内容を、ＯＣＲ処理を行うことで得られたテキストデータのみで電子化するのではなく、テキストデータに加えて、当該テキストデータに対応する付加テキストデータで電子化している。これにより、ユーザーが閲覧しやすい態様で複数の原稿から構成される原稿群を電子化することができる。
【００５５】
続いて、情報処理装置１の具体的な動作の流れについて説明する。図７は、情報処理装置１の電子化処理における動作の流れを示すフローチャートである。
【００５６】
情報処理装置１の受付部１０３が電子化開始指示を受け付けた場合（ステップＳ１０においてＹＥＳ）、撮像制御部１０４による制御の下カメラ部６０による撮像が開始され、テキストデータ取得部１０５は、カメラ部６０から出力された信号に基づき画像データを取得する（ステップＳ１１）。図２に示す例では、表示部２０に表示された操作画面Ｄ１の開始ボタンｄ１の押下操作がなされた場合に、受付部１０３は、電子化開始指示を受け付ける。
【００５７】
ステップＳ１１の処理後、テキストデータ取得部１０５は、取得した画像データに対してＯＣＲ処理を実行して、テキストデータを取得する（ステップＳ１２）。
【００５８】
ステップＳ１２の処理語、受付部１０３は、電子化終了指示を受け付けたか否かを判定する（ステップＳ１３）。図２に示す例では、表示部２０に表示された操作画面Ｄ１の終了ボタンｄ２の押下操作がなされた場合に、受付部１０３は、電子化終了指示を受け付ける。
【００５９】
電子化終了指示を受け付けない場合（ステップＳ１３においてＮＯ）、原稿判定部１０８は、カメラ部６０が撮像する原稿が次のページの原稿に変化したか否かを判定する（ステップＳ１４）。
【００６０】
ステップＳ１２の処理後予め定められた時間が経過するまでに、カメラ部６０が撮像する原稿が次のページの原稿に変化しない場合（ステップＳ１５においてＹＥＳ）、報知制御部１１０は、カメラ部６０を次のページの原稿に向けるべき旨を報知するための予め定められた警告音をスピーカー部５０に出力させる（ステップＳ１６）。
【００６１】
カメラ部６０が撮像する原稿が次のページの原稿に変化した場合（ステップＳ１４においてＹＥＳ）、ステップＳ１１の処理に戻り、次のページの原稿の電子化処理に移行する。
【００６２】
一方、電子化終了指示を受け付けた場合（ステップＳ１３においてＹＥＳ）、区切り位置特定部１０６は、ステップＳ１２の処理で取得した各テキストデータを解析して、当該各テキストデータにおける区切り位置を特定する（ステップＳ１７）。
【００６３】
区切り位置の特定後、付加テキストデータ生成部１０７は、各テキストデータの末尾に、次のページのテキストデータにおける区切り位置までのテキストデータを付加した付加テキストデータを生成する（ステップＳ１８）。また、ステップＳ１８の処理では、付加テキストデータ生成部１０７は、各テキストデータの冒頭から当該各テキストデータの区切り位置までのテキストデータを削除する。
【００６４】
ステップＳ１８の処理後、記憶制御部１０９は、ステップＳ１２の処理で生成したテキストデータ、およびステップＳ１８の処理で生成した付加テキストデータが、同一の冊子に対するデータであることを示す関連付け情報を生成する。そして、記憶制御部１０９は、テキストデータ、付加テキストデータ、および関連付け情報を記憶部９０に記憶させる（ステップＳ１９）。
【００６５】
図８は、情報処理装置１の書籍データの閲覧処理における動作の流れを示すフローチャートである。
【００６６】
情報処理装置１の受付部１０３が閲覧指示を受け付けた場合（ステップＳ２０においてＹＥＳ）、表示制御部１０２は、表示部２０に操作画面Ｄ２を表示させる（ステップＳ２１）。
【００６７】
図９は、表示部２０に表示される操作画面Ｄ２の一例を示す図である。操作画面Ｄ２では、閲覧する書籍データ、および書籍データの閲覧形式が選択可能になっている。当該操作画面Ｄ２において、受付部１０３が書籍データの閲覧形式として付加テキストデータ形式の選択を受け付けた場合（ステップＳ２２おいてＹＥＳ）、表示制御部１０２は、記憶部９０に記憶されている１ページ目の付加テキストデータを表示部２０に表示させる（ステップＳ２３）。
【００６８】
図１０（Ａ）および図１０（Ｂ）は、表示部２０に表示される閲覧画面Ｄ３の一例を示す図である。図１０（Ａ）は１ページ目の付加テキストデータを示し、図１０（Ｂ）は２ページ目の付加テキストデータを示している。
【００６９】
表示制御部１０２は、表示部２０に付加テキストデータを表示させる場合に、付加テキストデータにおけるテキストデータの付加部分の表示を、付加テキストデータにおけるテキストデータ部分の表示と表示形態を異ならせる。例えば、表示制御部１０２は、付加テキストデータにおけるテキストデータの付加部分を赤色で表示させ、付加テキストデータにおけるテキストデータ部分を黒色で表示させる。図１０（Ａ）に示す例では、テキストデータＴ１の文字部分を黒色で表示させ、テキストデータＴ６の文字部分を赤色で表示させる。図１０（Ｂ）に示す例では、テキストデータＴ２’の文字部分を黒色で表示させ、テキストデータＴ７の文字部分を赤色で表示させる。これにより、ユーザーにテキストデータの付加部分を明示することができる。
【００７０】
閲覧画面Ｄ３では、操作ボタンｄ３および操作ボタンｄ４が設けられている。受付部１０３が操作ボタンｄ３の押下操作を受け付けると、表示制御部１０２は、表示部２０に表示する付加テキストデータを前のページの付加テキストデータに変更する。また、受付部１０３が操作ボタンｄ４の押下操作を受け付けると、表示制御部１０２は、表示部２０に表示する付加テキストデータを次のページの付加テキストデータに変更する。
【００７１】
図８に戻って、受付部１０３が書籍データの閲覧形式としてテキストデータ形式の選択を受け付けた場合（ステップＳ２２おいてＮＯ）、表示制御部１０２は、記憶部９０に記憶されているテキストデータを表示部２０に表示させる（ステップＳ２４）。
【００７２】
このように、情報処理装置１では、表示制御部１０２が、表示部２０に、受付部が受け付けたデータ閲覧形式に関する指示に応じてテキストデータまたは付加テキストデータを選択的に表示させている。
【００７３】
なお、本発明は、上記の実施形態の構成に限られず種々の変形が可能である。
【００７４】
例えば、上記の実施形態では、区切り位置を特定する際に、テキストデータに含まれる句点を区切り文字として識別する場合を説明したが、本発明は必ずしもこの場合に限定されない。区切り位置特定部１０６は、句点以外に、読点（、）、括弧（（））、二点リーダ（‥）、三点リーダ（…）、中点（・）、感嘆符（！）、疑問符（？）、米印（※）絵文字、音符マークといった約物を区切り文字として識別してもよい。また、英語などの欧文においては、ピリオド（ . ）、コンマ ( , )、コロン( : )、セミコロン ( ; )、アスタリスク( * )、ダガー（†）、節記号（§）、段落記号（¶）といった約物を区切り文字として識別してもよい。更には、「第１部」「第１章」「第１節」「第１項目」等の見出しとして文章の最初に記載される符号や、文章の最初に記載される空白（スペース）を区切り文字として識別してもよい。
【００７５】
上記の約物、符号、空白といった区切り文字は、１つのまとまりある文章の冒頭に付けられるもの（第１種区切り文字）と、１つのまとまりある文章の末尾に付けられるもの（第２種区切り文字）とに大別される。例えば、句点、読点、感嘆符、疑問符等は、１つのまとまりある文章の末尾に付けられるものであり、第２種区切り文字とされる。一方、段落記号、節記号、ダガー等は、１つのまとまりある文章の冒頭に付けられるものであり、第１種区切り文字とされる。記憶部９０には、上記の約物、符号、空白といった区切り文字が、第１種区切り文字または第２種区切り文字のどちらであるかを示す識別情報が記憶されている。
【００７６】
区切り位置特定部１０６は、テキストデータに含まれる区切り文字を識別した際、当該区切り文字が第１種区切り文字または第２種区切り文字のどちらであるかを判定する。区切り文字が第２種区切り文字である場合、区切り位置特定部１０６は、当該第２種区切り文字のうち最前に位置する第２種区切り文字の位置を区切り位置とする。一方、区切り文字が第１種区切り文字である場合、区切り位置特定部１０６は、当該第１種区切り文字のうち最前に位置する第１種区切り文字の位置よりも１文字前の位置を区切り位置とする。
【００７７】
このように、変形例にかかる情報処理装置１では、句点以外の読点、感嘆符、段落記号等を用いて、テキストデータにおける区切り位置を特定することができる。
【符号の説明】
【００７８】
１     情報処理装置
２０   表示部
３０   タッチパネル
５０   スピーカー部
６０   カメラ部
９０   記憶部
１００ 制御ユニット
１０１ 制御部
１０２ 表示制御部
１０３ 受付部
１０４ 撮像制御部
１０５ テキストデータ取得部
１０６ 区切り位置特定部
１０７ 付加テキストデータ生成部
１０８ 原稿判定部
１０９ 記憶制御部
１１０ 報知制御部
【図１】
2016177363.tif 000003
【図２】
2016177363.tif 000004
【図３】
2016177363.tif 000005
【図４】
2016177363.tif 000006
【図５】
2016177363.tif 000007
【図６】
2016177363.tif 000008
【図７】
2016177363.tif 000009
【図８】
2016177363.tif 000010
【図９】
2016177363.tif 000011
【図１０】
2016177363.tif 000012